(57)【要約】【課題】回路規模の増加を抑制するデジタル書込装置を提供すること。【解決手段】読取制御部１００に原稿を挿入されると、読取制御回路１０７は、原稿サイズを検知し、システム制御装置３０２に原稿サイズを知らせる。そして、システム制御装置３０２は、原稿サイズに基づいて書込制御部５００のＬＥＤ書込制御回路５０２に画像書込位置アドレスを設定する。ＬＥＤ書込制御回路５０２は、設定された画像書込位置アドレスを画像データＲＡＭ部に転送し、画像メモリ部３０１から送られてくる画像データを画像サイズ分だけ書き込む。システム制御装置３０２から任意の画像書込位置アドレスをＬＥＤ書込制御回路５０２に対して設定し、ＬＥＤ書込制御回路５０２がその設定された画像書込位置アドレスを制御することにより、ＬＰＨ５０３に対して主走査方向の任意の位置から所要の画像データを出力することができる。【選択図】　図１
2004074720.tif 000002
【特許請求の範囲】
【請求項１】
原稿を読み込む読取制御部と、
前記読取制御部で読み取られた画像データを編集する画像処理部と、
前記画像処理部で編集された画像データを転写紙に書き込む書込制御部と、
から構成されるデジタル書込装置において、
前記書込制御部は、
複数のＬＥＤ（発光ダイオード）素子が主走査方向に所定密度で配列された１次元のＬＥＤヘッドと、
前記ＬＥＤ素子の光量と出力画像のずれとを、前記読取制御部で読み取られた画像データに基づいて補正する補正手段と、
前記読取制御部で読み取られた画像データを格納する第１の画像データ格納メモリと、
前記第１の画像データ格納メモリを制御する制御回路と、
を備え、さらに、
前記第１の画像データ格納メモリに対する前記画像データの書き込みアドレスに基づいて、前記ＬＥＤヘッドに対する画像データの主走査方向の画像書き込み位置を調整する画像書込位置制御手段を備えたことを特徴とするデジタル書込装置。
【請求項２】
前記画像書込位置制御手段は、前記ＬＥＤヘッドに対する画像データの主走査方向の書き込み位置を任意に設定する画像書込位置シフト手段を備えたことを特徴とする請求項１記載のデジタル書込装置。
【請求項３】
前記画像書込位置制御手段は、前記第１の画像データ格納メモリと異なる第２の画像データ格納メモリを備えたことを特徴とする請求項１または請求項２記載のデジタル書込装置。
【請求項４】
前記第２の画像データ格納メモリの容量は、前記第１の画像データ格納メモリの容量の１／２であることを特徴とする請求項３記載のデジタル書込装置。
【請求項５】
前記画像書込位置制御手段は、前記第２の画像データ格納メモリを用いて、前記ＬＥＤヘッドに対して主走査方向の一端と画像が重ならない任意の位置から同じ画像データを出力するダブルコピー形成手段を備えたことを特徴とする請求項３または請求項４記載のデジタル書込装置。
【請求項６】
前記画像書込位置制御手段は、前記第２の画像データ格納メモリを用いて、前記ＬＥＤヘッドに対して主走査方向の有効画像範囲に３回以上繰り返し同じ画像データを出力するイメージリピート形成手段を備えたことを特徴とする請求項３、請求項４または請求項５記載のデジタル書込装置。
【発明の詳細な説明】
【０００１】
【発明の属する技術分野】
この発明は、デジタル複写装置、デジタル複合装置などの画像形成装置に搭載される印字情報を感光体に書き込むデジタル書込装置に関し、特に、記録ヘッドとしてＬＥＤ（発光ダイオード）ヘッドを使用したデジタル書込装置に関する。
【０００２】
【従来の技術】
近年、ＬＥＤヘッドを使用して印字情報を感光体に書き込むデジタル書込装置を搭載したデジタル複写装置、デジタル複合装置などの画像形成装置が広く普及している。
これに伴い、これらの装置に搭載されている画像処理機能（並列出力機能など）をデジタル書込装置を用いて実現させる方法が提案されている。
例えば、特開平６−３４３１２６号公報には、読み取った画像データを複数のラインメモリに記憶し、ラインメモリの出力を切り換えることにより画像データの並列出力を容易に得ることができる方法が提案されている。
【０００３】
【発明が解決しようとする課題】
しかしながら、前述の特開平６−３４３１２６号公報で提案されている方法では、主走査方向に同じ画像を複数回並列に出力する機能を実行する処理を、画像処理部において行っていたため、画像処理部に複数のラインメモリや、余白の追加や削除を行う制御回路などを搭載することにより、処理時間や回路規模が増える傾向にあった。
そこで本発明は、画像処理部で制御していた並列出力を書込制御部で制御することにより、処理時間や回路規模の増加を抑えることのできるデジタル書込装置を提供することを目的とする。
【０００４】
【課題を解決するための手段】
請求項１記載の発明では、原稿を読み込む読取制御部と、前記読取制御部で読み取られた画像データを編集する画像処理部と、前記画像処理部で編集された画像データを転写紙に書き込む書込制御部と、から構成されるデジタル書込装置において、前記書込制御部は、複数のＬＥＤ（発光ダイオード）素子が主走査方向に所定密度で配列された１次元のＬＥＤヘッドと、前記ＬＥＤ素子の光量と出力画像のずれとを、前記読取制御部で読み取られた画像データに基づいて補正する補正手段と、前記読取制御部で読み取られた画像データを格納する第１の画像データ格納メモリと、前記第１の画像データ格納メモリを制御する制御回路と、を備え、さらに、前記第１の画像データ格納メモリに対する前記画像データの書き込みアドレスに基づいて、前記ＬＥＤヘッドに対する画像データの主走査方向の画像書き込み位置を調整する画像書込位置制御手段を備えることにより前記目的を達成する。
【０００５】
請求項２記載の発明では、請求項１記載の発明において、前記画像書込位置制御手段は、前記ＬＥＤヘッドに対する画像データの主走査方向の書き込み位置を任意に設定する画像書込位置シフト手段を備えることにより前記目的を達成する。
請求項３記載の発明では、請求項１または請求項２記載の発明において、前記画像書込位置制御手段は、前記第１の画像データ格納メモリと異なる第２の画像データ格納メモリを備えることにより前記目的を達成する。
請求項４記載の発明では、請求項３記載の発明において、前記第２の画像データ格納メモリの容量は、前記第１の画像データ格納メモリの容量の１／２にすることにより前記目的を達成する。
【０００６】
請求項５記載の発明では、請求項３または請求項４記載の発明において、前記画像書込位置制御手段は、前記第２の画像データ格納メモリを用いて、前記ＬＥＤヘッドに対して主走査方向の一端と画像が重ならない任意の位置から同じ画像データを出力するダブルコピー形成手段を備えることにより前記目的を達成する。
請求項６記載の発明では、請求項３、請求項４または請求項５記載の発明において、前記画像書込位置制御手段は、前記第２の画像データ格納メモリを用いて、前記ＬＥＤヘッドに対して主走査方向の有効画像範囲に３回以上繰り返し同じ画像データを出力するイメージリピート形成手段を備えることにより前記目的を達成する。
【０００７】
【発明の実施の形態】
以下、本発明の好適な実施の形態について図１ないし図６を参照して詳細に説明する。
図１は、本発明の実施の形態に係る複写装置の基本構成を示したブロック図であり、また、図２は、この複写装置の概略を示した図である。
図１に示すように、複写装置は、原稿を読み取る読取手段としての読取制御部１００、読み取られた原稿情報を記憶する記憶手段としての画像処理部３００、キー入力を行う操作手段としての操作部４００、記憶された情報を転写紙に複写するための書込制御部５００で構成されている。
【０００８】
読取制御部１００は、センサ１０１、画像増幅回路１０２、Ａ／Ｄ（アナログ／デジタル）変換回路１０３、シェーデング補正回路１０４、画像処理回路１０５、同期制御回路１０６、読取制御回路１０７、スキャナ駆動装置１０８を備えている。
画像処理部３００は、画像メモリ部３０１、一連のプロセスを実行制御するシステム制御装置３０２および駆動制御回路３０３を備えている。
書込制御部５００には、ＬＥＤ書込制御回路５０２、ＬＰＨ（ＬＥＤアレイプリンタヘッド）５０３およびプリンタ駆動装置５０５が設けられている。
操作部４００は、操作制御回路４０１および操作パネル４０２よりなる。
【０００９】
次に、図１および図２を参照して読取制御部１００の構成を説明する。
まず、オペレータが原稿を挿入口から挿入すると、原稿は、ローラ１の回転に応じて密着センサ２と白色ローラ３との間を搬送される。この搬送中の原稿は、密着センサ２に取り付いているＬＥＤにより照射され、その反射光は密着センサ２に結像され、原稿画像情報が読み取られる。
そして、図１のセンサ１０１上に結像した原稿画像は電気信号に変換され、このアナログ信号は、画像増幅回路１０２で増幅される。Ａ／Ｄ変換回路１０３は、画像増幅回路１０２で増幅されたアナログ画像信号を画素毎の多値デジタル画像信号に変換する。変換されたデジタル画像信号は、同期制御回路１０６から出力されるクロックに同期して出力され、シェーデング補正回路１０４により、光量ムラ、コンタクトガラスの汚れ、センサの感度ムラ等による歪みを補正される。この補正されたデジタル画像情報は、画像処理回路１０５でデジタル記録画像情報に変換された後、画像メモリ部３０１に書き込まれる。
【００１０】
次に、画像メモリ部３０１に書き込まれた画像信号を転写紙に形成するための一連のプロセスを制御しているシステム制御装置３０２と書込制御部５００の構成について説明する。
システム制御装置３０２は、全体制御を行う機能があり、読取制御回路１０７、同期制御回路１０６、画像メモリ部３０１、ＬＥＤ書込制御回路５０２での画像データの転送、および、原稿、転写紙の搬送を円滑に制御している。
書込制御部５００は、画像メモリ部３０１から同期信号クロックにより転送された画像信号をＬＥＤ書込制御回路５０２で１画素単位ビット変換し、ＬＰＨ５０３で赤外光に変換出力する。
【００１１】
続いて、図２を参照して記録紙に画像を形成するまでのプロセスを説明する。帯電装置４は、感光体ドラム５を−１２００Ｖに一様に帯電させるグリッド付きのスコロトロンチャージャと呼ばれるものである。発光素子アレイユニット６は、ＬＥＤをアレイ状に並べ、ＳＬＡ（セルフォックレンズアレー）を介して感光体ドラム５に照射するようになっている。発光素子アレイユニット６は、図１のＬＰＨ５０３に相当する。感光体ドラム５にデジタル画像情報に基づいたＬＥＤ光が照射されると、光導電現象で感光体表面の電荷が感光体ドラム５のアースに流れて消滅する。
ここで原稿濃度の淡い部分は、ＬＥＤを発光させないようにし、原稿濃度の濃い部分は、ＬＥＤを発光させる。これにより感光体ドラム５のレーザー光非照射部分には、画像の濃淡に対応した静電潜像が形成される。この静電潜像を現像ユニット７によって現像する。現像ユニット７内のトナーは撹拌により負に帯電されておりバイアスは−７００Ｖ印加されているため、レーザー光照射部分だけにトナーが付着する。
【００１２】
一方、記録紙は、３つの給紙台および手差しから選択され、レジストローラ８により所定のタイミングで感光体ドラム５の下部を通過し、この時に転写チャージャ９によりトナー像が記録紙上に転写される。続いて、記録紙は感光体ドラム５から分離チャージャ１０により分離され、搬送タンク１１により搬送されて定着ユニット１２に送られる。ここで、トナーが記録紙に定着する。
トナーが定着した記録紙は、排紙トレイ１３により機外に送られ排紙される。
【００１３】
次に、画像メモリ部３０１から書込制御部５００へ転送される画像信号の処理手順を説明する。
画像信号の流れは、画像メモリ部３０１からイーブン（Ｅ）、オッド（Ｏ）の２値画像データが２ラインパラレルの１６ＭＨｚでＬＥＤ書込制御回路５０２に送られてくる。２ラインで送られてきた画像信号は、ＬＥＤ書込制御回路５０２内部で一旦、１ラインに合成された後、ＬＰＨ５０３＿１、ＬＰＨ５０３＿２、ＬＰＨ５０３＿３へ転送される。
【００１４】
次に、図３を参照してＬＥＤ書込制御回路５０２の動作について説明する。
図３に示すように、ＬＥＤ書込制御回路５０２は、第１ＩＣ５１０、第２ＩＣ５１１の制御ＩＣを中心に構成されている。
まず、画像メモリ部３０１から、２値画像信号イーブン（ＰＫＤＥ）、オッド（ＰＫＤＯ）およびタイミング信号を低電圧作動信号素子（ＬＶＤＳ）レシーバ５１２を使用して、シリアル信号からパラレル信号に変換し、ＰＫＤＥ、ＰＫＤＯ、ＬＳＹＮＣ＿Ｎ、ＬＧＡＴＥ＿Ｎ、ＦＧＡＴＥＩＰＵ＿Ｎ、ＣＬＫＡとして第１ＩＣ５１０に入力する。
【００１５】
第１ＩＣ５１０に入力された画像データＰＫＤＥ、ＰＫＤＯは、第１ＩＣ５１０内部でデータ合成された後、画像データＲＡＭ部５１４へ転送される。その他の信号は、第１ＩＣ５１０のゲート信号として運用される。
前記データ転送前に、システム制御装置３０２から書き込み条件設定（ダブルコピーの有無、書き込み用紙サイズなど）信号、データバスＬＤＡＴＡ（７．．０）、アドレスバスＬＡＤＲ（５．．０）、ラッチ信号ＶＤＢＣＳ、が第１ＩＣ５１０へ転送される。
この書き込み条件設定において、ダブルコピーが選択されると、ダブルコピーＲＡＭ部５１３により主走査方向最大４２０ｍｍ（Ａ２縦サイズ）までの画像を、最大８４１ｍｍ（Ａ０縦サイズ）の用紙に同じ画像を並べて２回印字し、コピー、プリンタの生産性を２倍にする機能が可能となる。
【００１６】
次に、ダブルコピーＲＡＭ部５１３について説明する。
ダブルコピーＲＡＭ部５１３は、主走査方向最大４２０ｍｍ（Ａ２縦サイズ）までの画像を、最大８４１ｍｍ（Ａ０縦サイズ）の用紙に同じ画像を並べて２回印字し、コピー、プリンタの生産性を２倍にする機能を有する。
ダブルコピー時、画像メモリ部３０１からの２値画像信号（ＰＫＤＥ、ＰＫＤＯ）は、ＬＳＹＮＣ＿Ｎの１／２以下でＬＥＤ書込制御回路５０２に転送される。この信号を利用して、ダブルコピーＲＡＭ部５１３は、１つのＬＳＹＮＣ＿Ｎの中で画像信号のダビング操作を行う構成となっている。
【００１７】
画像メモリ部３０１から転送されてきた画像信号（ＰＫＤＥ、ＰＫＤＯ）は、第１ＩＣ５１０よりＷＤＥ、ＷＤＯとしてダブルコピーＲＡＭ部５１３にアドレス信号ＷＡＤＲ（１２．．０）と共に出力され、ダブルコピーＲＡＭ部５１３に画像データを格納すると同時に、画像データＲＡＭ部のＡ群ＳＲＡＭ（スタティック・ランダム・アクセス・メモリ）３個（５１４Ａ＿１〜５１４Ａ＿３）に格納される。
次に、ダブルコピーＲＡＭ部５１３は、画像メモリ部３０１からの画像信号格納終了と同時にダブルコピーＲＡＭ部５１３に格納した画像データを読み出し、第１ＩＣ５１０に取り込み、画像メモリ部３０１から送られてきた画像データと同様にＡ群ＳＲＡＭ３個（５１４Ａ＿１〜５１４Ａ＿３）に追加読み込みを行う。これによりＡ群ＳＲＡＭ３個（５１４Ａ＿１〜５１４Ａ＿３）には、ダブルコピー画像主走査１ライン分が格納されたことになる。
この動作をＡ群ＳＲＡＭ３個（５１４Ａ＿１〜５１４Ａ＿３）、Ｂ群ＳＲＡＭ３個（５１４Ｂ＿１〜５１４Ｂ＿３）をトグルさせることにより、ライン間の繋ぎを行う。
【００１８】
次に、画像データＲＡＭ部５１４Ａ＿１〜５１４Ａ＿３、５１４Ｂ＿１〜５１４Ｂ＿３について説明する。
第１ＩＣ５１０に入力された画像信号は、内部でラッチ遅延され、４ビットのＳＲＡＭＤＩとしてＳＲＡＭアドレス信号ＡＤＲＡ（１０．．０）およびＡＤＲＢ（１０．．０）と共にＡ群ＳＲＡＭ３個（５１４Ａ＿１〜５１４Ａ＿３）、Ｂ群ＳＲＡＭ３個（５１４Ｂ＿１〜５１４Ｂ＿３）に８ＭＨｚで転送される。ここで、ＳＲＡＭ５１４Ａ＿１にはＬＰＨ５０３＿１、ＳＲＡＭ５１４Ａ＿２にはＬＰＨ５０３＿２、ＳＲＡＭ５１４Ａ＿３にはＬＰＨ５０３＿３のデータがそれぞれ割り付けられるようになっている。
そして、８ＭＨｚでＡ群ＳＲＡＭ３個（５１４Ａ＿１〜５１４Ａ＿３）に順次格納された画像信号は、１ライン終了後、Ａ群ＳＲＡＭ３個（５１４Ａ＿１〜５１４Ａ＿３）同時に読み出され、第１ＩＣ５１０に転送される。
【００１９】
第１ＩＣ５１０は、ＳＲＡＭ５１４Ａ＿１〜５１４Ａ＿３から読み出されたＬＰＨ５０３Ａ＿１〜ＬＰＨ５０３Ａ＿３のデータを内部回路にてラッチさせ、８ビット単位として、ＬＰＨ５０３＿１のデータは第２ＩＣ５１１へ、また、ＬＰＨ５０３＿２、ＬＰＨ５０３＿３のデータは、画像データ遅延部５１５のＦＭ（フィールドメモリ）５１５＿１〜５１５＿３へ転送される。このようなＳＲＡＭからの読み出し動作を主走査１ライン間で複数回行う。
さらに、第１ＩＣ５１０は、Ａ群ＳＲＡＭ３個（５１４Ａ＿１〜５１４Ａ＿３）からの読み出し動作を行っている間に、次のラインをＢ群ＳＲＡＭ３個（５１４Ｂ＿１〜５１４Ｂ＿３）にＡ群と同様に画像信号を格納する。
この読み出し（リード）、格納（ライト）動作をＡ群ＳＲＡＭ３個（５１４Ａ＿１〜５１４Ａ＿３）、Ｂ群ＳＲＡＭ３個（５１４Ｂ＿１〜５１４Ｂ＿３）をトグル動作させることによりライン間の繋ぎを行う。
【００２０】
次に、画像データ遅延部５１５（ＦＭ５１５＿１〜５１５＿３）について説明する。
（１）ＬＰＨ５０３＿２の画像信号遅延について
Ａ３幅ＬＰＨ（ＬＰＨ５０３＿１〜５０３＿３）３本を千鳥配置しているため、ＬＰＨ５０３＿１を基準とし、ＬＰＨ５０３＿２は機構レイアウト上、副走査方向に１７ｍｍずらして取り付けている。
このため、Ａ群ＳＲＡＭ３個（５１４Ａ＿１〜５１４Ａ＿３）、Ｂ群ＳＲＡＭ３個（５１４Ｂ＿１〜５１４Ｂ＿３）から出力された画像信号を同時に処理し、ＬＰＨ５０３＿２へ転送するとＬＰＨ５０３＿１に対してＬＰＨ５０３＿２は、副走査方向に１７ｍｍ（１７ｍｍ／４２．３μｍ（６００ｄｐｉの１ｄｏｔ）＝４００ライン）ずれて印字してしまう。
【００２１】
この機械的なずれを補正するため、第１ＩＣ５１０より転送されたＬＰＨ５０３＿２の８ビットの画像信号を、ＦＭ５１５＿１にライン順に転送させ、２００ライン（固定）分書き込む。
次に、書き込まれた順にＦＭ５１５＿１より画像信号を読み出すと同時に、カスケード接続されたＦＭ５１５＿２に２００ライン（可変）書き込む。
さらに、書き込まれた順にＦＭ５１５＿２より画像信号を読み出し、Ｌ２ＤＦＭＯ（７．．０）として、第２ＩＣ５１１へ入力する。これにより、ＬＰＨ５０３＿２の画像信号は、４００ライン（１７ｍｍ）遅延される。なお、遅延させるライン数はＬＰＨ５０３＿２の部品精度、組付のバラツキにより個々に異なるため、１ライン（４２．３μｍ）単位で制御を行うようにする。
【００２２】
（２）ＬＰＨ５０３＿３の画像信号遅延について
Ａ３幅ＬＰＨ（ＬＰＨ５０３＿１〜ＬＰＨ５０３＿３）３本を千鳥配置しているため、ＬＰＨ５０３＿３は、機構レイアウト上、ＬＰＨ５０３＿１を基準として、副走査方向に１ｍｍずらして取り付けている。このため、Ａ群ＳＲＡＭ３個（５１４Ａ＿１〜５１４Ａ＿３）、Ｂ群ＳＲＡＭ３個（５１４Ｂ＿１〜５１４Ｂ＿３）から出力された画像信号を同時に処理し、ＬＰＨ５０３＿３へ転送するとＬＰＨ５０３＿１に対してＬＰＨ５０３＿３は、副走査方向に１ｍｍ（１ｍｍ／４２．３μｍ（６００ｄｐｉに１ｄｏｔ）＝２３ライン）ずれて印字してしまう。
【００２３】
この機械的なずれを補正するため、第１ＩＣ５１０より転送されたＬＰＨ５０３＿３の８ビットの画像信号をＦＭ５１５＿３に２３ライン（可変）書き込む。そして、書き込まれた順にＦＭ５１５＿３より画像信号を読み出し、Ｌ３ＤＦＭＯ（７．．０）として第２ＩＣ５１１へ入力する。これにより、ＬＰＨ５０３＿３の画像信号は２３ライン（１ｍｍ）遅延される。なお、遅延させるライン数はＬＰＨ５０３＿３の部品精度、組付のバラツキにより個々に異なるため、１ライン（４２．３μｍ）単位で制御を行うようにする。
このようにして、第１ＩＣ５１０では、入力データのダブルコピー制御、主走査１ライン毎の書込位置調整、各ＬＰＨ５０３の位置の副走査遅延制御を行っている。
【００２４】
第２ＩＣ５１１では、第１ＩＣ５１０から転送されてきた画像データ、および、データ遅延部５１５において遅延処理された画像データを内部でデータフォーマット化し、これらのデータをドライバ５１９を介してＬＰＨ５０３＿１〜３へ転送し、ＬＰＨ５０３＿１〜ＬＰＨ５０３＿３を点灯させる動作の制御を行う。
続いて、光量補正データＳＲＡＭ５１６について説明する。
光量補正データＳＲＡＭ５１６は、ＬＰＨ５０３＿１〜ＬＰＨ５０３＿３における光量のバラツキを補正する。
詳しくは、ＬＰＨ５０３＿１〜ＬＰＨ５０３＿３素子毎に６ｂｉｔの補正データを、さらに、ＬＥＤ素子１９２個おきにＬＥＤアレイチップ補正データの入った光量補正ＲＯＭ（リード・オンリ・メモリ）を搭載する。
【００２５】
そして、光量補正データＳＲＡＭ５１６は、電源投入時、光量のバラツキ補正データを各ＬＰＨ５０３＿１〜ＬＰＨ５０３＿３へ転送する。
光量補正データＳＲＡＭ５１６は、電源投入時、または、ＬＥＤ書込制御回路５０２がリセットした後、ＬＰＨ５０３＿１内に搭載されているＲＯＭ（ＥＥＰＲＯＭ）からＬＰＨ５０３のドット分のデータを読み出し、このデータを第２ＩＣ５１１の内部回路においてシリアル／パラレル変換して、アドレス信号ＨＯＳＥＩＡＤ（１２．．０）を得る。そして、このアドレス信号ＨＯＳＥＩＡＤ（１２．．０）に基づいて、ＬＰＨ５０３のドット分のデータは、００００Ｈから順番に光量補正データＳＲＡＭ５１６に格納される。
【００２６】
ＬＰＨ５０３のドット分のデータが格納された後、光量補正データＳＲＡＭ５１６よりデータが読み出される。そして、再度、光量補正データＨＯＳＥＩＤ（７．．０）は、第２ＩＣ５１１に入力される。
次に、光量補正データＨＯＳＥＩＤ（７．．０）は、第２ＩＣ５１１の内部回路にて、４ビット単位にデータ変換され、Ｌ１ＤＴよりＬＰＨ５０３＿１に転送される。ＬＰＨ５０３＿１に補正データの転送終了後、ＬＰＨ５０３＿１と同様に、順次、ＬＰＨ５０３＿２、ＬＰＨ５０３＿３の光量補正を行う。転送した光量補正データは、ＬＰＨ５０３＿１〜ＬＰＨ５０３＿３の電源をＯＦＦしない限り、ＬＰＨ５０３＿１〜ＬＰＨ５０３＿３の内部にて補正データが保持されるようになっている。
【００２７】
続いて、ダウンロード部５１７について説明する。
第１ＩＣ５１０、第２ＩＣ５１１は、ＳＲＡＭタイプのＣＰＬＤ（結合プログラム可能論理回路）であるため、電源ＯＦＦにより、第１ＩＣ５１０、第２ＩＣ５１１内部の書き込み制御プログラムが全て消去される。そのため、電源ＯＮ時、ダウンロード部５１７よりプログラムのダウンロード（コンフィギュレーション）が毎回行われる。
まず、電源が投入されると、ダウンロード部５１７は、第１ＩＣ５１０にＤＯＷＮＲＯＡＤ＿ＣＰＬＤ１としてプログラムをシリアルデータで転送し、ダウンロードを行う。第１ＩＣ５１０にプログラムのダウンロードが終了すると同時に、ダウンロード部５１７は、第２ＩＣ５１１にＤＯＷＮＲＯＡＤ＿ＣＰＬＤ２としてプログラムをシリアルデータで転送し、これにより、プログラムがダウンロードされる。
【００２８】
次に、リセット回路部５１８について説明する。
電源投入時、または、ＬＥＤ書込制御回路５０２の供給電源の電圧降下時に、リセット回路部５１８よりシステムリセット信号ＲＥＳＥＴ＿ＣＰＬＤ１およびＲＥＳＥＴ＿ＣＰＬＤ２が出力される。
システムリセット信号ＲＥＳＥＴ＿ＣＰＬＤ１は、第１ＩＣ５１０に、システムリセット信号ＲＥＳＥＴ＿ＣＰＬＤ２は、第２ＩＣ５１１にそれぞれ入力される。これらの信号に基づいて、第１ＩＣ５１０および第２ＩＣ５１１内部のカウンターのリセットが行われシステムが初期化される。
【００２９】
次に、このように構成された複写装置における、書き込み処理の制御動作について詳細に説明する。
オペレータが、読取制御部１００に原稿を挿入すると、読取制御部１００の読取制御回路１０７は、原稿サイズを検知して画像処理部３００のシステム制御装置３０２に原稿サイズを知らせる。
そして、システム制御装置３０２は、原稿サイズに基づいて書込制御部５００のＬＥＤ書込制御回路５０２に画像書込位置アドレスを設定する。ＬＥＤ書込制御回路５０２は、設定された画像書込位置アドレスを画像データＲＡＭ部５１４Ａ＿１〜５１４Ａ＿３、５１４Ｂ＿１〜５１４Ｂ＿３に転送し、画像メモリ部３０１から送られてくる画像データを画像サイズ分だけ書き込む。
このとき、画像データＲＡＭ部５１４Ａ＿１〜５１４Ａ＿３、５１４Ｂ＿１〜５１４Ｂ＿３は、画像データを書き込む前に、予め、全てのエリアに「０」を書き込む。
【００３０】
ＬＥＤ書込制御回路５０２は、システム制御装置３０２から任意の画像書込位置アドレスをＬＥＤ書込制御回路５０２に対して設定し、ＬＥＤ書込制御回路５０２がその設定された画像書込位置アドレスを制御することにより、ＬＰＨ５０３＿１〜ＬＰＨ５０３＿３に対して主走査方向の任意の位置から所要の画像データを出力することができる。
また、操作部４００からイメージシフト機能が選択され、任意のシフト量がシステム制御装置３０２に設定されると、システム制御装置３０２は、読取制御回路１０７から送られてくる画像サイズと、設定されたシフト量とに基づいて、ＬＥＤ書込制御回路５０２に対して画像書込位置アドレスを設定する。そして、ＬＥＤ書込制御回路５０２は、設定された画像書込位置アドレスから順に画像データを画像データＲＡＭ部５１４Ａ＿１〜５１４Ａ＿３に書き込む。このイメージシフト機能の使用例を図４に示す。
【００３１】
一方、操作部４００からダブルコピー機能が選択されると、ＬＥＤ書込制御回路５０２は、システム制御装置３０２にダブルコピー機能が選択されたことを知らせ、システム制御装置３０２は、読取制御回路１０７から送られてくる画像サイズ情報に基づいて、ＬＥＤ書込制御回路５０２に対して画像書込位置アドレスとダブルコピー機能の設定を行う。
ダブルコピー機能が設定されると、ＬＥＤ書込制御回路５０２は、第２のメモリであるダブルコピーＲＡＭ部５１３に、画像データＲＡＭ部５１４Ａ＿１〜５１４Ａ＿３に書き込まれる画像データと同じデータを書き込む。
【００３２】
そして、画像データＲＡＭ部５１４Ａ＿１〜５１４Ａ＿３とダブルコピーＲＡＭ部５１３に画像データの書き込みが終わると、ＬＥＤ書込制御回路５０２内の第１ＩＣ５１０は、ダブルコピーＲＡＭ部５１３に書き込まれている画像データを先頭から読み出し、画像データＲＡＭ部５１４Ａ＿１〜５１４Ａ＿３の続きから書き込みを始める。
なお、ＬＥＤ書込制御回路５０２は、ダブルコピーＲＡＭ部５１３から読み出される画像データを画像データＲＡＭ部５１４Ａ＿１〜５１４Ａ＿３の画像書込位置アドレスを設定することにより、任意の位置に画像データを書き込むことができる。
このようにして、同一画像を主走査方向に２つ並んで書き込むことができる。このダブルコピー機能の使用例を図５に示す。
【００３３】
また、操作部４００から、ダブルコピー機能を複数回繰り返し実行するイメージリピート機能が選択されると、ＬＥＤ書込制御回路５０２は、システム制御装置３０２にイメージリピート機能が選択されたことを知らせ、システム制御装置３０２は、読取制御回路１０７から送られてくる画像サイズ情報に基づいて、ＬＥＤ書込制御回路５０２に対して画像書込位置アドレスとイメージリピート機能の設定を行う。
イメージリピート機能が設定されると、ＬＥＤ書込制御回路５０２は、ダブルコピーＲＡＭ部５１３に書き込まれている画像データを画像データＲＡＭ部５１４Ａ＿１〜５１４Ａ＿３に２回以上書き込み、同一画像を主走査方向に複数並んで書き込むことができる。
なお、ＬＥＤ書込制御回路５０２は、ダブルコピーＲＡＭ部５１３から読み出される画像データを画像データＲＡＭ部５１４Ａ＿１〜５１４Ａ＿３の画像書込位置アドレスを設定することにより、任意の位置に画像データを書き込むことができる。このイメージリピート機能の使用例を図６に示す。
【００３４】
【発明の効果】
請求項１、２記載の発明によれば、画像処理部の画像メモリ部から出力される画像データを画像書込位置アドレスで設定された位置に書き込むことにより、メモリに書き込む処理時間の短縮化を図ることができ、また、主走査方向の任意の位置に画像を出力することができる。
請求項３記載の発明によれば、従来画像処理部に実装されていたメモリを書込制御部に実装することにより、画像処理部の回路規模と処理負荷とが低減され、画像形成装置全体の処理スピードと生産性を向上させることができる。
【００３５】
請求項４記載の発明によれば、第２のメモリの容量を第１のメモリの容量の１／２にすることにより、回路規模が低減でき、さらに、画像形成装置全体の処理スピードと生産性を向上させることができる。
請求項５記載の発明によれば、ダブルコピー機能の処理を書込制御部で実行することにより、画像処理部の処理負荷が低減され、画像形成装置全体の処理スピードと生産性を向上させることができる。
請求項６記載の発明によれば、イメージリピート機能の処理を書込制御部で実行することにより、画像処理部の処理負荷が低減され、画像形成装置全体の処理スピードと生産性を向上させることができる。
【図面の簡単な説明】
【図１】本発明の実施の形態に係る複写装置の基本構成を示したブロック図である。
【図２】本発明の実施の形態に係る複写装置の概略を示した図である。
【図３】ＬＥＤ書込制御回路の構成を示したブロック図である。
【図４】イメージシフト機能の使用例を示した図である。
【図５】ダブルコピー機能の使用例を示した図である。
【図６】イメージリピート機能の使用例を示した図である。
【符号の説明】
１００　読取制御部
１０１　センサ
１０２　画像増幅回路
１０３　Ａ／Ｄ変換回路
１０４　シェーデング補正回路
１０５　画像処理回路
１０６　同期制御回路
１０７　読取制御回路
１０８　スキャナ駆動装置
３００　画像処理部
３０１　画像メモリ部
３０２　システム制御装置
３０３　駆動制御回路
４００　操作部
４０１　操作制御回路
４０２　操作パネル
５００　書込制御部
５０２　ＬＥＤ書込制御回路
５０３　ＬＰＨ
５０５　プリンタ駆動装置
【図１】
2004074720.tif 000003
【図２】
2004074720.tif 000004
【図３】
2004074720.tif 000005
【図４】
2004074720.tif 000006
【図５】
2004074720.tif 000007
【図６】
2004074720.tif 000008